(57)【要約】【課題】強風雨時であっても、苗の折れ、損傷、痛み等が少なく、葉や茎等に対する害虫の被害が少なく、低温時の保温効果が有り、晴天時においてもカバー内の急激な温度上昇がなく、苗の良好な保護及び良好な生育を図ることができる。また、テーパー筒状に組み立てる作業、土中に埋設する作業等が簡単且つ容易に行え、安価な苗保護カバー及び苗保護カバーの埋設方法を提供する。【解決手段】苗保護カバー１を構成する樹脂シート２の対向側両端部を互いに接着してテーパー筒状に組み立て可能に設けるとともに、略扁平状態に折り畳むことができる折り曲げ罫線Ｄを複数箇所以上設けたことを特徴とする。【選択図】  図１
2007104946.tif 000002
【特許請求の範囲】
【請求項１】
樹脂シートの対向側両端部を互いに接着して、下端側開口部が広く、上端側開口部が狭いテーパー筒状に形成した
苗保護カバー。
【請求項２】
上記苗保護カバーが略扁平状態に折り畳み許容される折り曲げ罫線を、該苗保護カバーの壁部に沿って縦方向に形成するとともに、該折り曲げ罫線を円周方向に対して所定間隔に隔てて複数本配列した
請求項１に記載の苗保護カバー。
【請求項３】
上記苗保護カバーの土中に埋め込まれる下端部を、該土中に対して係止される角度に折り曲げ自在に設けた
請求項１又は２に記載の苗保護カバー。
【請求項４】
上記苗保護カバーの土中に埋め込まれる下部壁部に、該土中に対して係止される抜止め片を設けた
請求項１乃至３のいずれか一つに記載の苗保護カバー。
【請求項５】
上記苗保護カバーの上端側壁部が内側に向けて折り曲げ許容される折り曲げ罫線を、上記開口部付近の壁部に形成した
請求項１乃至４のいずれか一つに記載の苗保護カバー。
【請求項６】
上記苗保護カバーの上端側開口部付近に、該開口部を所望する大きさに開口調整する絞り込み手段を設けた
請求項１乃至５のいずれか一つに記載の苗保護カバー。
【請求項７】
上記苗保護カバーの上端側開口部に、通気性を有する防虫カバーを被覆した
請求項１乃至６のいずれか一つに記載の苗保護カバー。
【請求項８】
土を掘るための先端部が挿入方向から見て略半円形状又は略円形状に形成された掘り具を用いて、テーパー筒状を有する苗保護カバーの下端部が挿入される平面から見て略円形状の溝部を土に形成し、
上記苗保護カバーの下端部を上記溝部に対して上方から挿入した後、該苗保護カバーの下端部と溝部との間に土を入れて埋設する
苗保護カバーの埋設方法。
【発明の詳細な説明】
【技術分野】
【０００１】
この発明は、例えば白菜、カンラン、キャベツ、ナス、キュウリ等の農作物の苗、あるいは植木、花、樹木等の植物の苗木を、風雨、冷害、害虫その他から保護するために用いられるような苗保護カバー及び苗保護カバーの埋設方法に関する。
【背景技術】
【０００２】
従来、上述の苗保護カバーとしては、例えば樹脂シートの一端に形成した係入部と、他端に形成した係合部とを互いに係止して、下部開口が広く、上部開口が狭いテーパー筒状に形成した特許文献１の苗保護カバーがあるが、使用時において、樹脂シートの両端部に形成した係入部と係合部とを互いに係合して組み立てなければならず、係合作業が大変面倒であり、組み立て作業に手間及び時間が掛かる。また、係入部と係合部との係合部分に隙間が生じやすく、係合及び分離を何回も繰り返すうちに破損することがあり、保温効果が低下したり、害虫が侵入する等して、苗の生育が損なわれる。また、使用後において、苗保護カバーに付着した汚れを洗浄除去する場合、係入部と係合部との係合部分に手が接触したとき、手を切ってしまう恐れがあり、慎重に取り扱わなければならない。
【０００３】
また、苗保護カバーを埋め込む方法として、例えば苗保護カバーの下端部よりも大きな穴を掘り、苗保護カバーの下端部を穴の中に入れて、苗保護カバーの内部に土を入れながら、苗保護カバーの外部にも土をかぶせて埋設した後、苗保護カバーの上端側開口部から入れた苗を植え込む方法があるが、苗保護カバーの下端部が入るような大きな穴を掘る作業に手間及び時間が掛かるだけでなく、苗保護カバーの内部全体に土を入れなければならず、埋め込み作業が捗らないという欠点がある。
【特許文献１】実用新案登録第３０３１５２３号公報
【発明の開示】
【発明が解決しようとする課題】
【０００４】
この発明は上記問題に鑑み、風雨、冷害、害虫その他から苗を保護することができるとともに、テーパー筒状に組み立てる作業、土中に埋設する作業等が簡単且つ容易に行える苗保護カバー及び苗保護カバーの埋設方法の提供を目的とする。
【課題を解決するための手段】
【０００５】
請求項１に記載した発明の苗保護カバーは、樹脂シートの対向側両端部を一体的に接着して、下端側開口部が広く、上端側開口部が狭いテーパー筒状に形成したことを特徴とする。
【０００６】
この発明によると、樹脂シートの対向側両端部を一体的に接着してテーパー筒状に形成した苗保護カバーの下端部を土中に埋設して、その苗保護カバーで囲繞された土の中央に植えられた苗を保護するので、苗保護カバーの接合部分に隙間や破損等が生じるようなことがなく、風雨、冷害、害虫その他から苗を確実に保護することができる。
【０００７】
上記樹脂シートは、例えばポリエステル、ポリエチレン、塩化ビニル、ポリプロピレン等の単体又は複合した合成樹脂で構成することができる。また、接合は、例えば接着剤による接着、加熱による熱溶着、超音波振動による超音波溶着等の接合方法で構成することができる。
【０００８】
請求項２に記載した発明の苗保護カバーは、上記請求項１に記載の構成と併せて、上記苗保護カバーが略扁平状態に折り畳み許容される折り曲げ罫線を、該苗保護カバーの壁部に沿って縦方向に形成するとともに、該折り曲げ罫線を円周方向に対して所定間隔に隔てて複数本配列したことを特徴とする。
【０００９】
この発明によると、テーパー筒状の苗保護カバーを、各折り曲げ罫線に沿って略扁平状態に折り畳むことができる。また、略扁平状態に折り畳まれた苗保護カバーを外側に押し広げれば、テーパー筒状の形態に組み立てることができる。
【００１０】
上記折り曲げ罫線は、例えば断面Ｖ字状、断面Ｗ字状の罫線溝、或いは、ミシン目等で構成することができ、苗保護カバーの壁部に対して、例えば３箇所、４箇所、６箇所等の２箇所以上設けてもよく、少なくとも二つ折り状態に折り畳み可能であればよい。また、苗保護カバーの外観形状は、例えば三角形、四角形、五角形、六角形、八角形、十六角形などの多角形、或いは楕円形等の形状に形成してもよく、見た目が円形に近いものであればよい。
【００１１】
請求項３に記載した発明の苗保護カバーは、上記請求項１又は２に記載の構成と併せて、上記苗保護カバーの土中に埋め込まれる下端部を、該土中に対して係止される角度に折り曲げ自在に設けたことを特徴とする。
【００１２】
この発明によると、苗保護カバーの土中に埋め込まれる下端部を内側又は外側に折り曲げたまま埋設するので、抜け方向に対する抵抗が大きくなり、強風時において、苗保護カバーが土中から抜けるか、傾倒するのを防止することができる。
【００１３】
上記下端部は、例えば折り曲げ部が折り曲げ許容される折り曲げ罫線を、苗保護カバーの土中に埋め込まれる下端側壁部に沿って円周方向に連続して形成し、その折り曲げ罫線と下端部との間に、折り曲げ部が個々に分離される切れ目を縦方向に形成し、該切れ目を円周方向に対して所定等間隔（数センチ間隔）に隔てて複数本形成して、複数の各折り曲げ部を内側又は外側に向けて任意角度に折り曲げ自在に設ける等して構成することができる。
【００１４】
請求項４に記載した発明の苗保護カバーは、上記請求項１乃至３のいずれか一つに記載の構成と併せて、上記苗保護カバーの土中に埋め込まれる下部壁部に、該土中に対して係止される抜止め片を設けたことを特徴とする。
【００１５】
この発明によると、苗保護カバーの土中に埋め込まれる下部壁部に形成した抜止め片を内側又は外側に折り曲げたまま埋設するので、抜け方向に対する抵抗が大きくなり、強風時において、苗保護カバーが土中から抜けるか、傾倒するのを防止することができる。
【００１６】
上記抜止め片は、苗保護カバーの土中に埋め込まれる下部壁部に、門形の切れ目に沿って内側と外側とに折り曲げ自在に設けることができる。その抜止め片を内側又は外側に折り曲げることによって、苗保護カバーの内側と外側とを連通する連通孔が開口される。また、複数の各抜止め片を、苗保護カバーの土中に埋め込まれる下部壁部の同一円周上に形成するとともに、該各抜止め片を円周方向に対して所定等間隔に隔てて複数配列してもよい。また、各抜止め片を円周方向に対して上下互い違いに配列してもよい。
【００１７】
請求項５に記載した発明の苗保護カバーは、上記請求項１乃至４のいずれか一つに記載の構成と併せて、上記苗保護カバーの上端側壁部が内側に向けて折り曲げ許容される折り曲げ罫線を、上記開口部付近の壁部に形成したことを特徴とする。
【００１８】
この発明によると、苗保護カバーの上端側壁部を、開口部付近の壁部に形成した折り曲げ罫線に沿って内側に折り曲げ、開口部を所望する大きさに開口調整するか、密閉状態に閉塞する。一方、苗保護カバーの上端側壁部を外側に引き起こせば、上端側開口部を開口することができる。上記折り曲げ罫線は、例えば円弧形状、半円形状、波形状等の任意形状を有する罫線で構成することができる。
【００１９】
請求項６に記載した発明の苗保護カバーは、上記請求項１乃至５のいずれか一つに記載の構成と併せて、上記苗保護カバーの上端側開口部付近に、該開口部を所望する大きさに開口調整する絞り込み手段を設けたことを特徴とする。
【００２０】
この発明によると、苗保護カバーの上端側開口部を、絞り込み手段の締付け力により徐々に絞り込んで所望する大きさに開口調整するか、密閉状態に閉塞する。また、絞り込み手段による絞り込みを解除すれば、上端側開口部を所望する大きさに開口又は全開することができる。
【００２１】
上記絞り込み手段は、苗保護カバーの上端側開口部付近の壁部に形成した複数の各孔部と、各孔部に挿通される例えば紐、針金等の柔軟性を有する線条体等で構成することができる。また、柔軟性を有するシート状の閉塞体を、略扁平状態に閉塞された苗保護シートの上端側開口部外面に被せたまま、上記線条体により結び止めて閉塞固定すれば、より確実に密閉することができる。
【００２２】
請求項７に記載した発明の苗保護カバーは、上記請求項１乃至６のいずれか一つに記載の構成と併せて、上記苗保護カバーの上端側開口部に、通気性を有する防虫カバーを被覆したことを特徴とする。
【００２３】
この発明によると、防虫カバーの下端部を、テーパー筒状に組み立てられた苗保護カバーの上端側開口部に被覆固定し、防虫カバーの上端部を一つに束ねて閉塞するので、苗の生育に適した通気性と、害虫が侵入するのを防止する効果が得られる。上記防虫カバーは、例えば不織布、ネット、或いは、多数の孔部が形成されたシート等の通気性を有する筒状の被覆物で構成することができる。
【００２４】
請求項８に記載した発明の苗保護カバーの埋設方法は、土を掘るための先端部が挿入方向から見て略半円形状又は略円形状に形成された掘り具を用いて、テーパー筒状を有する苗保護カバーの下端部が挿入される平面から見て略円形状の溝部を土に形成し、上記苗保護カバーの下端部を上記溝部に対して上方から挿入した後、該苗保護カバーの下端部と溝部との間に土を入れて埋設することを特徴とする。
【００２５】
この発明によると、略半円形状又は略円形状の掘り具を、畑や庭、花壇等の埋め込み場所の土に押し込むだけで、苗保護カバーの下端側開口部が挿入される略円形状の溝部を簡単且つ正確に掘ることができ、溝掘り作業に要する手間及び時間を大幅に削減して、埋設作業の迅速化を図ることができる。また、苗保護カバーの下端部を溝部に対して上方から挿入した後、苗保護カバーの下端部と溝部との間に土を入れて埋設するので、溝部に入れる土の量が少なくて済み、溝部の大きさ及び深さ、溝幅が正確であるので、苗保護カバーの埋設作業が簡単且つ正確に行える。上記掘り具は、例えば略半円形状、略円形状を有する専用の掘り具、スコップ、シャベル、機械等の農具で構成することができる。
【発明の効果】
【００２６】
この発明によれば、樹脂シートの対向側両端部が一体的に接合されたテーパー筒状の苗保護カバーを土中に埋設して、該苗保護カバーにより囲繞された苗を保護するので、苗保護カバーの接合部分に隙間や破損等が生じるようなことがなく、風雨時であっても、苗の折れ、損傷、痛み等々が少なく、葉や茎等に対する害虫の被害も少なく、低温時の保温効果を得ることができる。
【００２７】
また、テーパー筒状の苗保護カバーを折り曲げ罫線に沿って略扁平状態に折り畳むので、組み立て時及び折り畳み時に接合部分が破損することがなく、何回でも繰り返し使用することができ、安価である。また、不使用時において、略扁平状態に折り畳まれた苗保護カバーを複数重ね合わせれば、保管場所のスペースが小さくて済み、取り扱い及び管理が容易に行える。
【００２８】
また、略扁平状態に折り畳まれた苗保護カバーを押し広げるだけで、テーパー筒状に組み立てることができ、苗保護カバーの組み立て作業及び埋設作業が簡単且つ容易に行え、作業の能率アップを図ることができる。
【発明を実施するための最良の形態】
【００２９】
この発明は、風雨、冷害、害虫その他から苗を保護することができるとともに、テーパー筒状に組み立てる作業、土中に埋設する作業等が簡単且つ容易に行えるという目的を、樹脂シートの対向側両端部を互いに接着してテーパー筒状に形成するとともに、略扁平状態に折り畳むことができる折り曲げ罫線を複数箇所以上設けることで達成した。
【実施例】
【００３０】
この発明の一実施例を以下図面に基づいて詳述する。  
図面は、苗を保護するために用いられる第１実施例の苗保護カバー及び苗保護カバーの埋設方法を示し、図１、図２に示す苗保護カバー１は、図３に示す扇形状に打ち抜き形成された樹脂シート２の対向側両端部を接着剤により一体的に接着して、下端側開口部３が広く、上端側開口部４が狭くなるテーパー筒状に組み立てたものである。
【００３１】
上記苗保護カバー１の対向壁部には、苗保護カバー１が略扁平状態に折り畳み許容される２本の各折り曲げ罫線Ｄ，Ｄを、該苗保護カバー１の対向壁部に沿って縦方向にそれぞれ形成するとともに、各折り曲げ罫線Ｄ，Ｄを円周方向に対して略１８０度の角度に隔てられた相対向する両側壁部にそれぞれ配列している。つまり、図３にも示すように、各折り曲げ罫線Ｄ，Ｄを、扇形状に展開された樹脂シート２の中央部分と、樹脂シート２の一端側に連設された接合部５の連結部分とに、樹脂シート２の上端側縁部から下端側縁部に向けて連続して形成している。
【００３２】
つまり、図１に示すテーパー筒状に組み立てられた苗保護カバー１を、２本の各折り曲げ罫線Ｄ，Ｄに沿って二つ折り状態に変形させて、図５に示す略扁平状態に折り畳むことができる。また、略扁平状態に折り畳まれた苗保護カバー１を外側に向けて押し広げれば、図１に示すテーパー筒状の形態に組み立てることができる。
【００３３】
また、折り曲げ罫線Ｄは、テーパー筒状に組み立てられる苗保護カバー１の壁部に沿って円周方向に対して所定間隔に隔てて複数本配列することができる。例えば３箇所、４箇所、６箇所等の２箇所以上設けてもよく、少なくとも二つ折り状態に折り畳み可能であればよい。また、苗保護カバー１の外観形状は、例えば三角形、四角形、五角形、六角形、八角形、十六角形などの多角形、或いは楕円形等の形状に形成してもよく、見た目が円形に近いものであればよい。
【００３４】
前記苗保護カバー１の土壌Ａ中に埋め込まれる下端部全周には、土壌Ａ中に対して係止される角度及び方向に折り曲げられる複数の各折り曲げ部６…を円周方向に対して互いに近接して配列している。また、複数の各折り曲げ部６…を円周方向に対して所定間隔に隔てて部分的に配列してもよい。
【００３５】
上記各折り曲げ部６…は、各折り曲げ部６…が個々に折り曲げ許容される折り曲げ罫線Ｅを、苗保護カバー１の土壌Ａ中に埋め込まれる下端側壁部に沿って円周方向に連続して形成し、その折り曲げ罫線Ｅと下端部との間に、各折り曲げ部６…が個々に分離される切れ目を縦方向に形成し、該切れ目を円周方向に対して所定等間隔（数センチ間隔）に隔てて複数本形成して、各折り曲げ部６…を内側又は外側に向けて任意角度に折り曲げ自在に設けている。
【００３６】
つまり、苗保護カバー１の下端部に連設した各折り曲げ部６…を外側（又は内側）に向けて略９０度に折り曲げたまま土壌Ａ中に埋設すれば、抜け方向に対する抵抗が大きくなり、強風時において、苗保護カバー１が土壌Ａ中から抜けたり、傾倒するのを防止する効果が得られる。
【００３７】
前記苗保護カバー１の上端側開口部４付近の両側壁部には、苗保護カバー１の上端側両側壁部１ａ，１ａが内側に向けて折り曲げ許容される円弧形状の各折り曲げ罫線Ｆ，Ｆを２本形成している。また、各折り曲げ罫線Ｆ，Ｆの両端部は、苗保護カバー１の両側壁部に形成した各折り曲げ罫線Ｆ，Ｆの上端部にそれぞれ接続している。
【００３８】
つまり、テーパー筒状に組み立てられた苗保護カバー１の上端側両側壁部１ａ，１ａのいずれか一方又は両方を、上端側開口部４付近に形成した各折り曲げ罫線Ｆ，Ｆに沿って内側に折り曲げるか、上下互い違いとなるように交互に重ね合わせる等すれば、開口部４を所望する大きさに開口調整するか、密閉状態に閉塞することができる。また、苗保護カバー１の上端側両側壁部１ａ，１ａを外側に引き起こして起立すれば、開口部４を全開することができる。
【００３９】
また、苗保護カバー１の上端側両側壁部１ａ，１ａを内側に折り曲げることが可能であれば、折り曲げ罫線Ｆ，Ｆを、苗保護カバー１の上端側壁部に沿って円周方向に対して所定間隔に隔てて複数本配列してもよい。
【００４０】
なお、上端側両側壁部の各折り曲げ罫線Ｆ，Ｆは、例えば断面Ｖ字状、断面Ｗ字状の罫線溝、或いは、ミシン目等で構成することができる。また、各折り曲げ罫線Ｆ，Ｆを、例えば半円形状、波形状等の任意形状に形成してもよい。
【００４１】
前記苗保護カバー１をテーパー筒状に組み立てる場合、扇形状に展開した樹脂シート２を、図４に示すように上方から見て略筒状となるように丸めて、樹脂シート２の一端側に連設したノリ代用の接合部５を、他端側の裏面に重ね合わせるとともに、相互の重ね合わせ面を接着剤により一体的に接着固定して、図１に示すテーパー筒状に組み立てる。なお、接着に代わる他の方法として、例えば熱溶着、超音波溶着等の接合方法で接合してもよい。
【００４２】
上記苗保護カバー１を構成する樹脂シート２は、例えばポリエステル、ポリエチレン、塩化ビニル、ポリプロピレン等の単体又は複合した合成樹脂で形成することができるが、実施例では、約０．４ｍｍの肉厚ｔを有する透明又は半透明のポリエステル樹脂シート（Ａ−ＰＥＴシート）で形成している。また、苗Ｃの生育に適した任意の色に着色してもよい。
【００４３】
また、テーパー筒状に組み立て完了時における苗保護カバー１の各部寸法（図２参照）の一例を示すと次の通りである。苗保護カバー１の上端側開口部４の直径Ｄ１は、約２５０ｍｍπに設定し、下端側開口部３の直径Ｄ２は、約３５０ｍｍπに設定し、苗保護カバー１の全高Ｈは、約４５０ｍｍに設定しているが、上記数値に限定されるものではなく、苗Ｃの種類その他に対応して任意の寸法に変更することができる。
【００４４】
また、土壌Ａ中に対する埋め込み位置の目安となる目印を、苗保護カバー１の土壌Ａ中に埋め込まれる下端側外壁部に予め付設しておいてもよい。例えば苗保護カバー１の下端部から所定寸法だけ隔てられた上方位置（約１００ｍｍの位置）に目印を予め付設しておけば、苗保護カバー１の下端部を目印の位置まで土壌Ａ中に埋め込むことにより、所定の埋め込み寸法だけ正確に埋め込むことができる。また、目印の代わりに、例えば凹部や凸部を形成するか、目盛りを印刷する等してもよい。
【００４５】
図示実施例は上記の如く構成するものにして、以下、苗保護カバー１の埋設方法を説明する。
【００４６】
先ず、図６に示すように、略半円形状又は略円形状を有する掘り具Ｂの先端部を、畑等の整地された土壌Ａの植え込み面に対して上方から略垂直に押し込み、図１に示すテーパー筒状を有する苗保護カバー１の下端部が挿入許容される略円形状の溝部Ａａを土壌Ａの植え込み面に形成した後、図７に示すように、溝部Ａａ中央の土壌Ａにナスの苗Ｃを植える。なお、掘り具Ｂを土壌Ａの植え込み面に押し込んだまま回転させて、溝部Ａａを形成してもよい。
【００４７】
なお、上記掘り具Ｂで形成される溝部Ａａの各部寸法（図６参照）の一例を示すと次の通りである。溝部Ａａ上端の溝幅Ｗ１は約２０ｍｍに形成し、溝部Ａａ下端の溝幅Ｗ２は約１０ｍｍに形成し、溝深さＷ３は約１００ｍｍに形成しているが、上記数値に限定されるものではなく、苗保護カバー１のサイズに対応して任意の寸法に変更してもよい。
【００４８】
次に、図５に示す略扁平状態に折り畳まれた苗保護カバー１を押し広げて、図１に示すテーパー筒状の形態に組み立てた後、苗保護カバー１の下端部に形成した各折り曲げ部６…を折り曲げ罫線Ｅに沿って外側（又は内側）に向けて略９０度に折り曲げた後、図８に示すように、苗保護カバー１の下端部を土壌Ａの溝部Ａａに対して上方から略垂直に挿入し、所定の埋め込み寸法だけ押し込む。
【００４９】
次に、図９に示すように、溝部Ａａ周囲の土壌Ａを、苗保護カバー１の下端側外壁部と溝部Ａａとの隙間に入れて、苗保護カバー１の下端側外周部の土壌Ａを踏み固める。また、苗保護カバー１の下端側内壁部と溝部Ａａとの隙間にも入れて押し固めてもよい。なお、苗がある程度成長し、苗保護カバー１による保護が不要となった際には取り除く。
【００５０】
また、苗保護カバー１の土壌Ａ中に埋め込まれた下端側開口部３の方が広く、その下端部の外側に折り曲げた各折り曲げ部６…が土壌Ａ中に係止されるので、抜け方向に対する抵抗が大きく、強風時において、苗保護カバー１が土壌Ａ中から抜けたり、傾倒するのを防止することができる。
【００５１】
また、苗保護カバー１の上端側開口部４から灌水や肥料等を供給することができると共に、苗保護カバー１内部の急激な温度上昇を防止することができ、苗Ｃの良好な保護を図ることができる。
【００５２】
次に、苗Ｃが小さいときは、苗保護カバー１の上端側両側壁部１ａ，１ａを、上端側開口部４付近の上端側両側壁部１ａ，１ａに形成した各折り曲げ罫線Ｆ，Ｆに沿って内側に折り曲げ、上端側開口部４を所望する大きさに開口調整するか、密閉状態に閉塞する等して、苗Ｃの生育に適した温度、換気等に調整する。
【００５３】
また、苗Ｃが少し大きくなれば、苗保護カバー１の上端側両側壁部１ａ，１ａを外側に引き起こして、上端側開口部４を全開状態に開口するので、苗保護カバー１の上端側開口部４を、気温、天候、苗の生育状況等に勘案して苗Ｃの生育に適した大きさに簡単に調整することができる。
【００５４】
上記苗保護カバー１を、例えばナスの苗Ｃの保護に用いた結果、風速約１０ｍ〜１５ｍの暴風雨を約２．５時間のあいだ付与した場合、でも、苗保護カバー１及びナスの苗Ｃに折れ、損傷、痛み等が全くなかった。
【００５５】
また、苗保護カバー１で保護した苗Ｃと、苗保護カバー１で保護していない苗Ｃの生育状況を比較した場合、苗Ｃを植えた時から約４０日が経過したとき、苗保護カバー１で保護した苗Ｃには平均１５％の成長が見られたが、苗保護カバー１で保護しなかった苗Ｃは成長が悪かった。また、苗保護カバー１で保護した苗Ｃには害虫による被害がなく０本であるが、苗保護カバー１で保護しなかった苗Ｃには害虫による被害が約６本確認された。
【００５６】
上記実験結果から見ても明らかであり、苗保護カバー１で苗Ｃを保護すれば、苗Ｃの良好な保護及び良好な生育を図ることができるという結果が得られた。
【００５７】
以上のように、樹脂シート２の対向側両端部が一体的に接着されたテーパー筒状の苗保護カバー１を土壌Ａ中に埋設して、該保護カバー１により囲繞された苗Ｃを保護するので、苗保護カバー１の接合部分に隙間や破損等が生じるようなことがなく、風雨時であっても、苗Ｃの折れ、損傷、痛み等々が少なく、葉や茎等に対する害虫の被害も少なく、低温時の保温効果を得ることができる。
【００５８】
また、苗保護カバー１の上端側開口部４を開口しているので、晴天時においても苗保護カバー１内の急激な温度上昇がなく、苗Ｃの良好な保護及び良好な生育を図ることができる。
【００５９】
また、テーパー筒状の苗保護カバー１を、２本の各折り曲げ罫線Ｄ，Ｄに沿って略扁平状態に折り畳むので、組み立て時及び折り畳み時に接合部分が破損することがなく、何回でも繰り返し使用することができ、安価である。また、不使用時において、略扁平状態に折り畳まれた苗保護カバーを複数重ね合わせれば、保管場所のスペースが小さくて済み、取り扱い及び管理が容易に行える。
【００６０】
また、略扁平状態に折り畳まれた苗保護カバー１を押し広げるだけで、テーパー筒状に組み立てることができ、苗保護カバー１の組み立て作業及び埋設作業が簡単且つ容易に行え、苗Ｃを保護する作業の能率アップを図ることができる。
【００６１】
図１０は、第２実施例の苗保護カバー１を示し、苗保護カバー１の土壌Ａ中に埋め込まれる下部壁部に、門形の切れ目に沿って内側及び外側に折り曲げ自在に形成した抜止め片７を設けるとともに、該抜止め片７を円周方向に対して所定等間隔に隔てて複数配列している。また、各抜止め片７…を円周方向に対して上下互い違いに配列してもよい。
【００６２】
つまり、苗保護カバー１の土壌Ａ中に埋め込まれる下部壁部に形成した複数の各抜止め片７…を内側（又は外側）に折り曲げた後、苗保護カバー１の下端部を土壌Ａの溝部Ａａに挿入して埋設するので、各抜止め片７…が土壌Ａ中に係止され、抜け方向に対する抵抗が大きくなるので、第１実施例と同等の作用及び効果を奏することができる。
【００６３】
また、各抜止め片７…を門形の切れ目に沿って折り曲げると、苗保護カバー１の内側と外側とを連通する各連通孔８…が開口され、その各連通孔８…を介して、苗保護カバー１の内側と外側との土壌Ａがつながって一体化するので、各抜止め片７…による抵抗に加えて、各連通孔８…を介して一体化した土壌Ａの抵抗により、抜けや傾倒等を防止する作用及び効果を高めることができる。なお、第１実施例の各折り曲げ部６…と併用してもよい。
【００６４】
図１１は、第３実施例の苗保護カバー１を示し、例えば紐、針金等の柔軟性を有する線条体１０を、苗保護カバー１の上端側開口部４付近の両側壁部に形成した複数の各孔部９…に挿通して、苗保護カバー１の上端側開口部４を、線条体１０の締付け力により徐々に絞り込んで所望する大きさに開口調整するか、密閉状態に閉塞する。また、線条体１０による絞り込みを解除すれば、上端側開口部４が所望する大きさに開口又は全開されるので、苗保護カバー１の上端側開口部４を、気温、天候、苗の生育状況等に勘案して苗Ｃの生育に適した大きさに簡単に開口調整することができ、第１実施例と同等の作用及び効果を奏することができる。なお、各孔部９…は、苗保護カバー１の上端側開口部４の上端側両側縁部に沿って円周方向に対して所定間隔に隔てて配列している。
【００６５】
また、図１２に示すように、柔軟性を有するシート状の閉塞体１１を、略扁平状態に閉塞された苗保護シートの上端側開口部４外面に被せたまま、苗保護カバー１の上端側両側壁部及び閉塞体１１の両側縁部に形成した各孔部９…を介して上記線条体１０により閉塞固定すれば、より確実に密閉することができる。なお、線条体１０の代わりに、例えば面ファスナー、粘着テープ、クリップ、マグネット、止め具等を用いてもよい。
【００６６】
図１３は、第４実施例の苗保護カバー１を示し、例えば不織布、ネット等の通気性を有する筒状の防虫カバー１２の下端部を、苗保護カバー１の上端側開口部４に被覆して、防虫カバー１２の下端側内周縁部と、苗保護カバー１の上端側外周縁部を接着剤で一体的に接着固定する。
【００６７】
一方、防虫カバー１の上端側を一つに束ねて閉塞した後、例えば紐、針金、テープ、輪ゴム等の結束体１３を、防虫カバー１の上端側束ね部分に巻回して締付け固定するので、苗Ｃの生育に適した通気性と、害虫が侵入するのを防止する効果が得られ、第１実施例と同等の作用及び効果を奏することができる。なお、接着剤及び結束体１３の代わりに、例えば面ファスナー、両面粘着テープ、クリップ、マグネット、止め具等を用いてもよい。また、防虫カバー１２を、多数の孔部が形成されたシートで構成することもできる。
【００６８】
この発明の構成と、上述の実施例との対応において、  
この発明の土は、実施例の土壌Ａに対応し、  
以下同様に、
絞り込み手段は、実施例の苗保護カバー１に形成した孔部９と、孔部９に挿通される線条体１０に対応するも、  
この発明は、上述の実施例の構成のみに限定されるものではなく、請求項に示される技術思想に基づいて応用することができ、多くの実施の形態を得ることができる。
【００６９】
この発明は、上述の実施例の構成のみに限定されるものではない。  
実施例では、各折り曲げ罫線Ｄ，Ｅ，Ｆを長さ方向に連続して形成しているが、任意間隔に隔てて部分的に形成してもよい。
【産業上の利用可能性】
【００７０】
本発明の苗保護カバーは、植木、花、樹木等の植物の苗木の保護にも利用することができる。
【図面の簡単な説明】
【００７１】
【図１】第１実施例の苗保護カバーを示す斜視図。
【図２】苗保護カバーの埋設状態を示す断面図。
【図３】苗保護カバーの展開状態を示す正面図。
【図４】苗保護カバーの両端部接合状態を示す横断平面図。
【図５】苗保護カバーの折り畳み状態を示す正面図。
【図６】掘り具による溝掘り方法を示す断面図。
【図７】苗の植え込み状態を示す断面図。
【図８】苗保護カバーの下端部を溝部に押し込んだ状態を示す断面図。
【図９】苗保護カバーの埋設完了状態を示す断面図。
【図１０】第２実施例の苗保護カバーの埋設状態を示す断面図。
【図１１】第３実施例の苗保護カバーの開口部絞り込み状態を示す断面図。
【図１２】図１１の苗保護カバーの他の例を示す断面図。
【図１３】第４実施例の苗保護カバーの防虫カバー被覆状態を示す断面図。
【符号の説明】
【００７２】
Ａ…土壌
Ａａ…溝部
Ｂ…掘り具
Ｃ…苗
Ｄ，Ｅ，Ｆ…折り曲げ罫線
１…苗保護カバー
１ａ…壁部
２…樹脂シート
３，４…開口部
５…接合部
６…折り曲げ部
７…抜止め片
８…連通孔
９…孔部
１０…線条体
１１…閉塞体
１２…防虫カバー
１３…結束体
【図１】
2007104946.tif 000003
【図２】
2007104946.tif 000004
【図３】
2007104946.tif 000005
【図４】
2007104946.tif 000006
【図５】
2007104946.tif 000007
【図６】
2007104946.tif 000008
【図７】
2007104946.tif 000009
【図８】
2007104946.tif 000010
【図９】
2007104946.tif 000011
【図１０】
2007104946.tif 000012
【図１１】
2007104946.tif 000013
【図１２】
2007104946.tif 000014
【図１３】
2007104946.tif 000015